(57)【要約】  【課題】複数のＬＥＤを基板に列設する構成において、隣接するＬＥＤからの光の漏れを防止できると共に、レンズとの位置合わせが容易な構造を提供すること。  【解決手段】本発明では、複数のＬＥＤ２を縁部に列設した基板１と、前記基板１に隣接されて各ＬＥＤ２に対応した位置にはそれぞれレンズ５が配設されたレンズホルダ４とから構成されたＬＥＤ装置10において、前記基板１には係止孔３を設け、前記レンズホルダ４には、前記係止孔３に係止する係止爪７を設けるとともに、前記基板１と係止した状態において、隣接するＬＥＤ２の間に介在して隣接するＬＥＤ２からの光の漏れを遮断する遮光部材６を設けるという手段を講じた。【選択図】      図１
2005197013.tif 000002
【特許請求の範囲】
【請求項１】
複数のＬＥＤを縁部に列設した基板と、前記基板に隣接されて各ＬＥＤに対応した位置にはそれぞれレンズが配設されたレンズホルダと、から構成されたＬＥＤ装置において、
前記基板には、前記レンズホルダの係止爪を係止するための係止孔を設け、
前記レンズホルダには、前記係止孔に係止する係止爪を設けるとともに、前記基板と係止した状態において、隣接するＬＥＤの間に介在して隣接するＬＥＤからの光の漏れを遮断する遮光部材を設けたことを特徴とするＬＥＤ基板構造。
【発明の詳細な説明】
【技術分野】
【０００１】
本発明は、複数のＬＥＤを列設する場合における光の漏れを防止する構造に関するものである。
【背景技術】
【０００２】
従来より、電子機器の操作パネル面等には、当該機器の動作状態等を表示するための複数の表示等が配設されている。これらの複数の表示等としては発光ダイオード（以下、単にＬＥＤという。）が複数列設されたものが使用されている。これらの複数のＬＥＤは基板に配設されており、この基板が当該機器の内部に固定されている。また、各ＬＥＤの視認性を向上させるためにレンズが用いられている。
【発明の開示】
【発明が解決しようとする課題】
【０００３】
ところが、上述したように基板に複数のＬＥＤを列設し、各ＬＥＤにレンズを配した構造では、隣接するＬＥＤの光が他のＬＥＤのレンズまで漏れてしまい、その点灯／消灯が不明瞭になるという問題があった。
また、各ＬＥＤと各レンズとの位置合わせが確実にできにくいという問題があった。
【０００４】
そこで、本発明は、複数のＬＥＤを基板に列設する構成において、隣接するＬＥＤからの光の漏れを防止できると共に、レンズとの位置合わせが容易な構造を提供することを目的としてなされたものである。
【課題を解決するための手段】
【０００５】
本発明にかかるＬＥＤ基板構造では、
複数のＬＥＤを縁部に列設した基板と、前記基板に隣接されて各ＬＥＤに対応した位置にはそれぞれレンズが配設されたレンズホルダと、から構成されたＬＥＤ装置において、
前記基板には、前記レンズホルダの係止爪を係止するための係止孔を設け、
前記レンズホルダには、前記係止孔に係止する係止爪を設けるとともに、前記基板と係止した状態において、隣接するＬＥＤの間に介在して隣接するＬＥＤからの光の漏れを遮断する遮光部材を設けるという手段を講じた。
【発明の効果】
【０００６】
本発明では、ＬＥＤが配設された基板には、前記レンズホルダの係止爪を係止するための係止孔を設け、レンズが配設されたレンズホルダには、前記基板の係止孔に係止する係止爪を設けたので、前記レンズホルダは前記基板に係止され、レンズとＬＥＤとは容易且つ確実に所定の位置に位置決めされる。従って、光軸合わせや位置決めの作業が改善されるという効果が得られる。
また、レンズホルダが基板に係止されると、レンズホルダに設けられた遮光部材が、隣接するＬＥＤの間に介在するので、隣接するＬＥＤからの光の漏れが防止され、ＬＥＤの点灯／消灯の視認性が改善されるという効果が得られる。
また、前記レンズの意匠の自由度が増えるという効果も得られる。
【発明を実施するための最良の形態】
【０００７】
以下に、本発明にかかるＬＥＤ基板構造を、その実施の形態を示した図面に基づいて詳細に説明する。
前記ＬＥＤ基板構造の要部の分解斜視図を示した図１において、
１は基板であり、複数のＬＥＤ２、２、２が配置されている。この基板１には係止孔３が形成されている。
４はレンズホルダであり、複数のレンズ５、５、５が配設されている。これらのレンズ５５、５の入射側は集光レンズが形成されており、出射側には散光レンズが形成されている。これらのレンズ５、５、５は前記レンズホルダ４に形成された嵌合孔に嵌合固定されている。前記レンズホルダ４は図示しない操作パネルに固定されている。
【０００８】
前記レンズホルダ４において、隣接するレンズ５、５、５の間には遮光部材６、６が形成されている。また、前記レンズホルダ４の数カ所には係止爪７が形成されている。前記係止爪７の裏側にはガイド部材71が設けられている。
【０００９】
図１に示した基板１を前記レンズホルダ４に装着した状態の斜視図を図２に示した。図示したように、各ＬＥＤ２、２、２はそれぞれレンズ５、５、５の入射側の規定の位置に位置決めされるので、組立においては光軸合わせ等の作業を要しない。
また、前記基板１を前記レンズホルダ４に係止させるとき、前記係止爪７の突起が、基板１の係止孔３に係止されるので、基板１をレンズホルダ４に固定するための作業等を要しない。
【００１０】
また、図２に示したような組み立てた状態においては、隣接するＬＥＤどうしの間に遮光部材６が介在するので、隣接するＬＥＤの光が隣接する他のレンズに入射することが防止される。従って、各ＬＥＤの点灯／消灯は明確に視認することができる。
なお、図１、図２は、説明の都合上、実際の基板１とレンズホルダ４とを上下反転させて示したものである。実際は、図３、４に示したように、基板１の下面にＬＥＤ２が配設されている。
【００１１】
図３の（ａ）は図１のＸ−Ｘ線断面図、図３の（ｂ）は図２のＸ−Ｘ線断面図である。これらの図に示されているように、レンズホルダ４には係止爪７が形成され、基板１には係止孔３が形成されているので、基板１をレンズホルダ４に係止させるとき、図３の（ｂ）に示したように、前記係止爪７の突起が、基板１の係止孔３に係止されるので、基板１をレンズホルダ４に固定するための作業等を要しない。また、前記レンズホルダ４は操作パネル９に固定されているので、前記基板１はレンズホルダ４を介して操作パネルに固定されることになる。
【００１２】
図４の（ａ）は図１のＹ−Ｙ線断面図、図４の（ｂ）は図２のＹ−Ｙ線断面図である。これらの図に示されているように、レンズホルダ４には係止爪７が形成され、基板１には係止孔３が形成されているので、基板１をレンズホルダ４に係止させるとき、図３の（ｂ）に示したように、前記係止爪７の突起が、基板１の係止孔３に係止されて基板１とレンズホルダ４とは係止される。
そして、隣接するＬＥＤ２、２の間には遮光部材６が介在しているので、隣接するレンズへ光が漏れることは防止される。
【実施例１】
【００１３】
本実施例においては、図５に示した平面図のように、ＬＥＤ２の軸上の基板に切欠き８を形成し、レンズホルダ４と組み立てるときに、レンズ５の入射側の凸部51が前記切欠き８に嵌まり込むことによって、基板１とレンズ５もしくはレンズホルダ４との位置合わせが自動的に行われるように形成した。
なお、前記レンズ５の凸部51に代えて別途凸部もしくは係合構造を形成してもよい。
【産業上の利用可能性】
【００１４】
本発明は、複数のＬＥＤを並べて配設する構造を備えた全ての電子機器に利用することが可能である。
【図面の簡単な説明】
【００１５】
【図１】本発明にかかるＬＥＤ基板構造の実施の形態の分解斜視図である。
【図２】前記ＬＥＤ基板構造の組み立てた状態の斜視図である。
【図３】要部の側面断面図である。
【図４】要部の側面断面図である。
【図５】本発明の実施例の要部の平面図である。
【符号の説明】
【００１６】
１    基板
２    ＬＥＤ
３    係止孔
４    レンズホルダ
５    レンズ
６    遮光部材
７    係止爪
【図１】
2005197013.tif 000003
【図２】
2005197013.tif 000004
【図３】
2005197013.tif 000005
【図４】
2005197013.tif 000006
【図５】
2005197013.tif 000007